(57)【要約】    【課題】  部品点数を削減することができ、さらにセンシング対象への取付け誤差を低減可能なレゾルバを提供すること。    【解決手段】  レゾルバ構成用一体成形構造１は、巻線のなされていないレゾルバ本体２が、その絶縁物部６において、センシング対象に直接取り付けるためのレゾルバ固定台部３と一体に成形された構成である。レゾルバ構成用一体成形構造１に巻線が施されてレゾルバとして完成した後、巻線後のレゾルバ構成用一体成形構造１がセンシング対象９の軸７に軸支され、取り付けられる。【選択図】  図２
2008164534.tif 000002
【特許請求の範囲】
【請求項１】
レゾルバ鉄心に巻線のなされていない状態で、レゾルバ絶縁物およびセンシング対象に直接取り付けるためのレゾルバ固定台とが一体成形されてなることを特徴とする、レゾルバ構成用一体成形構造。
【請求項２】
巻線のみがなされていないレゾルバ本体の絶縁物機能をセンシング対象に直接取り付けるためのレゾルバ固定台機能と一体成形してレゾルバ構成用一体成形構造とし、その後、該レゾルバ構成用一体成形構造中のレゾルバ鉄心に巻線を施すことを特徴とする、レゾルバ製造方法。
【請求項３】
レゾルバ本体の絶縁物部と、センシング対象への取り付けのための固定台部とが一体に成形されていることを特徴とする、レゾルバ。
【発明の詳細な説明】
【技術分野】
【０００１】
本発明はレゾルバ構成用一体成形構造、レゾルバおよびその製造方法に係り、特に、部品点数削減およびセンシング対象への取付け誤差低減可能な、レゾルバ構成用一体成形構造、レゾルバおよびその製造方法に関する。
【背景技術】
【０００２】
図４は、レゾルバ本体とレゾルバ固定台のセンシング対象への取り付け方法について、従来技術を示す説明図である。図中、符号３３で表されるレゾルバ固定台は軸断面図、その他の要素図は側面図である。図３に示すように従来は、既に巻線の施されたレゾルバ本体３２を、ブラシレスモータ等のセンシング対象３９に取り付けるに際し（ａ）、それに先だって、合成樹脂等の絶縁物により別途の部品として形成されているレゾルバ固定台３３にまずレゾルバ本体３２を取り付けて一体とし、それをセンシング対象３９に対して取り付けるという方法により、行っていた（ｂ）。つまり、レゾルバ本体３２およびレゾルバ固定台３３においてそれぞれ、合成樹脂等による絶縁部を形成する工程が必要であった。
【０００３】
レゾルバをセンシング対象に取り付けることに関しては、後掲特許文献１のような技術も提案されているが、これは、耐久性や組み付け性に優れたブラシレスモータの提供を目的として、モータのケースとブラケット間に介設された合成樹脂製レゾルバマウントユニットにレゾルバステータが収容され、電源線カプラと信号線カプラがロータの軸心に対し放射方向に一体成形される構成において、レゾルバステータとレゾルバマウントユニット（レゾルバ固定台）を一体成形することもできるとするものである。
【０００４】
【特許文献１】特開２００４−２３８４０号公報「ブラシレスモータ」
【発明の開示】
【発明が解決しようとする課題】
【０００５】
しかし、特許文献１に開示された技術にしても、既に巻線が施されて完成品となった状態のレゾルバを、固定台に対してインサート成形するというものであり、結局、図３にて示した従来技術の範囲内のものである。したがって、レゾルバ本体３２およびレゾルバ固定台３３においてそれぞれ、合成樹脂等による絶縁部を、別途、別部品として形成する工程を必要とするものである。製造工程においては、できる限り部品点数を削減できることが、作業の効率化、コスト低減上要求される。
【０００６】
さらに従来技術では、（ａ）レゾルバ本体３２のレゾルバ固定台３３への取り付け、および（ｂ）レゾルバ本体３２−固定台３３を一体化したもののセンシング対象３９への取り付け、計２回の取り付け作業を必要とするものである。そして各取り付け作業においては、軸調整が必要である。具体的には、中心位置の調整と軸に対する傾斜の調整が必要である。したがって、これらの軸調整作業に伴う誤差の発生は２回となる。特に高度の検出性能を要求されるレゾルバにおいては、かかる取付け誤差はできる限り低減できることが極めて望ましい。
【０００７】
本発明が解決しようとする課題は、上記従来技術の問題点を除き、部品点数を削減することができ、さらにセンシング対象への取付け誤差を低減可能な、レゾルバ構成用一体成形構造、レゾルバおよびその製造方法を提供することである。
【課題を解決するための手段】
【０００８】
本願発明者は上記課題について検討した結果、レゾルバ本体の絶縁物部分とレゾルバ固定台とを一体成形し、その後に、巻線を行うという手順とすることによって上記課題の解決が可能であることを見出し、本発明に至った。すなわち、上記課題を解決するための手段として本願で特許請求される発明、もしくは少なくとも開示される発明は、以下の通りである。
【０００９】
（１）  レゾルバ鉄心に巻線のなされていない状態で、レゾルバ絶縁物およびセンシング対象に直接取り付けるためのレゾルバ固定台とが一体成形されてなることを特徴とする、レゾルバ構成用一体成形構造。
（２）  巻線のみがなされていないレゾルバ本体の絶縁物機能をセンシング対象に直接取り付けるためのレゾルバ固定台機能と一体成形してレゾルバ構成用一体成形構造とし、その後、該レゾルバ構成用一体成形構造中のレゾルバ鉄心に巻線を施すことを特徴とする、レゾルバ製造方法。
（３）  レゾルバ本体の絶縁物部と、センシング対象への取り付けのための固定台部とが一体に成形されていることを特徴とする、レゾルバ。
【００１０】
つまり本発明は、レゾルバ本体の絶縁物部分とレゾルバ固定台、両者の絶縁機能を一体とするために、レゾルバ本体とレゾルバ固定台とを一体成形するものであり、かかる機能の共通化によって部品点数を削減するものである。また、レゾルバ本体とレゾルバ固定台を一体とすることにより、センシング対象への取り付け誤差の低減を実現するものである。また、レゾルバ巻線と鉄心間の絶縁と、レゾルバ固定の機能が一体となったレゾルバを提供するものである。
【発明の効果】
【００１１】
本発明のレゾルバ構成用一体成形構造、レゾルバおよびその製造方法は上述のように構成されるため、これによれば、製造工程において部品点数を削減することができ、それにより、ひいては製造作業工程の効率化およびコスト低減効果を得ることができる。さらに本発明によれば、センシング対象への取付け誤差を低減することができ、レゾルバの性能をより高度に発揮させることができる。
【発明を実施するための最良の形態】
【００１２】
以下、本発明を図面により詳細に説明する。
図１は、本発明のレゾルバ構成用一体成形構造の基本的構成を示す正面視および側面視の説明図である。図示するように本発明のレゾルバ構成用一体成形構造１は、レゾルバ鉄心８に巻線のなされていない状態で、レゾルバ絶縁物部、およびセンシング対象に直接取り付けるためのレゾルバ固定台部とが一体成形されてなる一体成形体１０を備えていることを、主たる構成とする。つまり結果的には、巻線のなされていないレゾルバが、その絶縁物部において、センシング対象に直接取り付けるためのレゾルバ固定台上に一体成形されている形態である。
【００１３】
かかる構成により、レゾルバ全体としての絶縁対策は、レゾルバ本体の絶縁物機能と、絶縁物によるレゾルバ固定台機能とが、工程上、同じ材質によって一体に、かつ同時に形成され、絶縁機能も一度に形成でき、部品点数が１個削減される。このようにして形成される一体成形体１０の材料としては、適宜の合成樹脂を用いることができる。
【００１４】
レゾルバ構成用一体成形構造１が形成される段階においては、従来のように、レゾルバ本体とレゾルバ固定台との間で軸調整作業をする必要がない。この点でも、製造工程上、より作業効率を高めることができる。また、この段階では当然ながら、取り付け誤差が発生しない。
【００１５】
図１のようにしてレゾルバ構成用一体成形構造１が製造された後で、レゾルバ鉄心に巻線が施され、レゾルバとして完成する。
【００１６】
図２は、本発明のレゾルバ構成用一体成形構造を用いて構成したレゾルバをセンシング対象に取り付ける過程を示す説明図である。図示するように、（ａ）から（ｂ）の順で、既にレゾルバ構成用一体成形構造１に巻線が施されてレゾルバとして完成したものが、センシング対象９の軸７に軸支され、取り付けられる。この段階で、レゾルバ（レゾルバ構成用一体成形構造１に巻線が施されて完成した）と軸７との間における軸調整がなされる。すなわち、軸心の位置合わせ、および軸に対するレゾルバの傾斜の調整がなされる。したがって、センシング対象９に対するレゾルバの取り付け誤差の発生は、この段階においてのみとなる。
【００１７】
図３は、本発明レゾルバの実施例を示す正六面図である。取付けの際に、センシング対象の反対側となる端面を正面とし、それを中心に左右側面、平面、底面、さらに背面図を配した図である。図示するように本レゾルバは、レゾルバ本体の絶縁物部（絶縁物機能）に、センシング対象への取り付けのための固定台部（固定台機能）が備えられていることを、特徴的な構成とするものである。
【産業上の利用可能性】
【００１８】
本発明のレゾルバ構成用一体成形構造、レゾルバおよびその製造方法によれば、製造工程において部品点数を削減することができ、製造作業工程の効率化およびコスト低減効果が得られる。また、センシング対象への取付け誤差を低減することができる。したがって、モータ等の角度検出において高レベルの精度を担保することができ、関連分野において利用価値が高い発明である。
【図面の簡単な説明】
【００１９】
【図１】本発明のレゾルバ構成用一体成形構造の基本的構成を示す正面視および側面視の説明図である。
【図２】本発明のレゾルバ構成用一体成形構造を用いて構成したレゾルバをセンシング対象に取り付ける過程を示す説明図である。
【図３】本発明レゾルバの実施例を示す正六面図である。
【図４】レゾルバ本体とレゾルバ固定台のセンシング対象への取り付け方法について、従来技術を示す説明図である。
【符号の説明】
【００２０】
１…レゾルバ構成用一体成形構造
２…巻線のされていないレゾルバ本体
３…レゾルバ固定台部（固定台機能）
４…ステータ
５…ロータ
６…絶縁物部（絶縁物機能）
７…軸
８…レゾルバ鉄心
９…センシング対象
１０…絶縁物部と固定台部とが一体成形されてなる一体成形体
【００２１】
３２…レゾルバ本体（従来技術  以下も同じ）、  ３３…レゾルバ固定台、  ３４…ステータ、  ３５…ロータ、  ３６…絶縁物部分、  ３７…軸、  ３８…レゾルバ鉄心、  ３９…センシング対象
【図１】
2008164534.tif 000003
【図２】
2008164534.tif 000004
【図３】
2008164534.tif 000005
【図４】
2008164534.tif 000006